(57)【要約】【課題】常に正しい楽曲情報をデータベースサーバからダウンロードすることが可能な楽曲情報リスト作成装置を提供する。【解決手段】本発明に係る楽曲情報リスト作成装置において、パーソナルコンピュータ２は、リスト作成の対象となるＣＤ５から１つの楽曲の第１フレームの音楽データを読み出し、該読み出された音楽データを検索キーとして、ＣＤデータベースサーバ３を検索し、該検索キーと一致する音楽データを含む楽曲の楽曲情報をＣＤデータベースサーバ３から受信して、楽曲情報リストに追加する。【選択図】　　　図１
2004030790.tif 000002
【特許請求の範囲】
【請求項１】
複数枚のディスクについて各ディスクに記録されている複数の楽曲の少なくとも所定部分の音楽データと楽曲情報が登録されているデータベースサーバを検索することにより、任意のディスクを対象として、該ディスクに記録されている複数の楽曲についての楽曲情報リストを自動的に作成する装置において、
リスト作成の対象となるディスクから、１つの楽曲の前記所定部分の音楽データを読み出すディスク読み出し手段と、
前記読み出された音楽データを検索キーとして、前記データベースサーバを検索し、該検索キーと一致する音楽データを含む楽曲を発見する検索手段と、
前記発見された楽曲の楽曲情報をデータベースサーバから受信して、楽曲情報リストを作成するリスト作成手段
とを具えていることを特徴とする楽曲情報リスト作成装置。
【請求項２】
前記音楽データの所定部分は、先頭フレームから所定番目のフレームである請求項１に記載の楽曲情報リスト作成装置。
【請求項３】
ディスクが市販されている既製のディスクであるとき、ディスク読み出し手段は、該ディスクの先頭トラックから所定番目のトラックに記録されている楽曲の前記所定部分の音楽データを読み出し、リスト作成手段は、検索によって発見された楽曲が記録されている既製のディスクについて、該ディスクに記録されている全ての楽曲の楽曲情報をデータベースサーバから受信して、楽曲情報リストを作成する請求項１又は請求項２に記載の楽曲情報リスト作成装置。
【請求項４】
ディスクが任意の複数の楽曲を記録したユーザ自作のディスクであるとき、ディスク読み出し手段は、該ディスクの各トラックに記録されている楽曲の前記所定部分の音楽データを読み出す動作を繰り返し、リスト作成手段は、各トラックについて検索によって発見された楽曲の楽曲情報をデータベースサーバから受信して楽曲情報リストに追加する動作を繰り返す請求項１又は請求項２に記載の楽曲情報リスト作成装置。
【発明の詳細な説明】
【０００１】
【発明の属する技術分野】
本発明は、多数枚のディスクを対象として各楽曲のタイトルやアーティスト名等の楽曲情報が登録されているデータベースサーバを検索することにより、所望のディスクについての楽曲情報リストを自動的に作成することが出来る楽曲情報リスト作成装置に関するものである。
【０００２】
【従来の技術】
従来、市販されている多数枚のＣＤ（コンパクトディスク）を対象として各ＣＤに記録されている複数の楽曲のタイトルやアーティスト名等の楽曲情報を登録したＣＤデータベースサーバ（特開２０００−２１５６５３号［Ｇ１１Ｂ２７／３４］、特開２００１−１４２８５５号［Ｇ０６Ｆ１５／１６］参照）が知られており、ＣＤデータベースサーバを利用することによって、ユーザは所有しているＣＤについて、各楽曲のタイトルやアーティスト名等を含む楽曲情報リストを自動的に作成することが出来る。
【０００３】
例えば図１の如く、パーソナルコンピュータ（２）をインターネット（４）を介してＣＤデータベースサーバ（３）に接続し、パーソナルコンピュータ（２）に所有のＣＤ（５）を装填することによって、該ＣＤ（５）についての楽曲情報をＣＤデータベースサーバ（３）からダウンロードして、該ＣＤ（５）についての楽曲情報リストを自動的に作成することが出来る。又、パーソナルコンピュータ（２）にデジタルメモリプレーヤ（１）を接続すれば、該ＣＤ（５）に格納されている楽曲の音楽データと楽曲情報をデジタルメモリプレーヤ（１）に転送することが出来る。
【０００４】
【発明が解決しようとする課題】
ところで、ＣＤデータベースサーバの検索においては、従来はＣＤのＴＯＣ情報、即ちＣＤに格納されている複数の楽曲の数と総再生時間が検索キーとして用いられている。
【０００５】
しかしながら、ＴＯＣ情報を検索キーとしてＣＤデータベースサーバを検索する方法では、所有のＣＤと同じＴＯＣ情報を有するＣＤがデータベースに登録されている場合があり、この場合、所有のＣＤについて複数のＣＤ情報を含むリストが作成されることになるため、ユーザはこのリストの中から正しいＣＤ情報を選択しなければならず、操作が煩雑である問題があった。
又、所有のＣＤが未だデータベースに登録されていないにも拘わらず、所有のＣＤと同じＴＯＣ情報を有するＣＤがデータベースに登録されている場合があり、この場合、所有のＣＤとは異なるＣＤについての楽曲情報をダウンロードしてしまう虞がある。
更に又、ＣＤデータベースサーバの検索によって楽曲情報リストを作成することが出来るのは、市販のＣＤに限られ、ユーザが任意に選んだ複数の楽曲が記録されているユーザ自作のＣＤについては、楽曲情報リストを作成することが出来ない問題があった。
【０００６】
そこで本発明の目的は、常に正しい楽曲情報をデータベースサーバからダウンロードすることが可能であり、楽曲情報リスト作成時の操作が簡易であり、然もユーザ自作のＣＤについても楽曲情報リストの作成が可能な楽曲情報リスト作成装置を提供することである。
【０００７】
【課題を解決する為の手段】
本発明に係る楽曲情報リスト作成装置は、
リスト作成の対象となるディスクから、１つの楽曲の所定部分の音楽データを読み出すディスク読み出し手段と、
前記読み出された音楽データを検索キーとして、前記データベースサーバを検索し、該検索キーと一致する音楽データを含む楽曲を発見する検索手段と、
前記発見された楽曲の楽曲情報をデータベースサーバから受信して、楽曲情報リストを作成するリスト作成手段
とを具えている。
【０００８】
ディスクが市販されている既製のディスクであるとき、ディスク読み出し手段は、該ディスクの先頭トラックから所定番目のトラックに記録されている楽曲の前記所定部分の音楽データを読み出し、リスト作成手段は、検索によって発見された楽曲が記録されている既製のディスクについて、該ディスクに記録されている全ての楽曲の楽曲情報をデータベースサーバから受信して、楽曲情報リストを作成する。
【０００９】
これに対し、ディスクが任意の複数の楽曲を記録したユーザ自作のディスクであるとき、ディスク読み出し手段は、該ディスクの各トラックに記録されている楽曲の前記所定部分の音楽データを読み出す動作を繰り返し、リスト作成手段は、各トラックについて検索によって発見された楽曲の楽曲情報をデータベースサーバから受信して楽曲情報リストに追加する動作を繰り返す。
【００１０】
上記本発明の楽曲情報リスト作成装置においては、検索キーとして、音楽データの所定部分、例えば、先頭フレームから所定番目のフレームのデータ（フレームデータ）が用いられるので、該データのビット数をｎとすると、２ｎの組合せが存在することとなり、該所定部分が一致する２つの音楽データは、同じ楽曲のものであると判断することが出来、この判断に誤りがある可能性は殆ど零である。
従って、検索によって発見された楽曲の楽曲情報をデータベースサーバから受信して、楽曲情報リストを作成すれば、該楽曲情報リストは常に正しいものとなる。この際、複数枚のディスクについての楽曲情報から１枚のディスクについての楽曲情報を選択するユーザ操作は不要である。
【００１１】
【発明の効果】
本発明に係る楽曲情報リスト作成装置によれば、常に正しい楽曲情報をデータベースサーバからダウンロードすることが可能であり、楽曲情報リスト作成時の操作が簡易であり、然もユーザ自作のＣＤについても楽曲情報リストの作成が可能である。
【００１２】
【発明の実施の形態】
以下、本発明を図１に示すシステムに実施した形態につき、図面に沿って具体的に説明する。
図１に示す如く、パーソナルコンピュータ（２）がインターネット（４）を介してＣＤデータベースサーバ（３）に接続されており、該パーソナルコンピュータ（２）にユーザ所有のＣＤ（５）を装填することによって、該ＣＤ（５）についての楽曲情報をＣＤデータベースサーバ（３）からダウンロードして、該ＣＤ（５）についての楽曲情報リストを自動的に作成することが出来る。又、パーソナルコンピュータ（２）にデジタルメモリプレーヤ（１）を接続することによって、該ＣＤ（５）に格納されている楽曲の音楽データと楽曲情報をデジタルメモリプレーヤ（１）に転送することが出来る。
【００１３】
尚、ＣＤデータベースサーバ（３）には、市販されている多数枚のＣＤを対象として、各ＣＤに記録されている複数の楽曲について、各楽曲の音楽データの少なくとも第１フレームのデータと、タイトル、アーティスト名、ジャンル及び再生時間を含む楽曲情報とが登録されている。
【００１４】
パーソナルコンピュータ（２）は、リスト作成の対象となるＣＤ（５）についての楽曲情報をＣＤデータベースサーバ（３）からダウンロードする際、１つの楽曲の音楽データを構成している複数フレームの内、第１フレームのデータ（フレームデータ）を検索キーとして、ＣＤデータベースサーバ（３）を検索する。
フレームデータは、図２に示す如く、２４ビットの周期パターンＡと、１４ビットのサブコーディングＢと、２０４ビットのデータＣと、６８ビットのパリティと、２０４ビットのデータＦとを含んでおり、合計５８８のビット数を有している。従って、該フレームデータを検索キーとした場合、組合せの数は２５８８と膨大なものとなる。
従って、ＣＤデータベースサーバ（３）の検索は、殆ど１００％のヒット率で行なわれることとなり、この結果、正確な楽曲情報リストが作成されることとなる。
【００１５】
図３は、パーソナルコンピュータ（２）が実行する楽曲情報リスト作成手続きを表わしている。
先ずステップＳ１にて、ユーザの選択操作に応じて既製のＣＤであるか自作のＣＤであるかを判断し、既製のＣＤの場合はステップＳ２に移行して、該ＣＤの第１トラックの第１フレームデータを検索キーとして、ＣＤデータベースサーバ（３）を検索する。そして、ステップＳ３では、ＣＤデータベースに登録されている複数枚のＣＤを対象として第１トラックの第１フレームデータとの一致、不一致を判断し、データが一致すれば、ステップＳ４にて、データの一致した楽曲が含まれているＣＤについて、該ＣＤに登録されている全ての楽曲の楽曲情報をＣＤデータベースサーバ（３）から受信して、楽曲情報リストの作成を行なう。
【００１６】
一方、自作のＣＤの場合は、ステップＳ１からステップＳ５に移行して、該ＣＤの第１トラックの第１フレームデータを検索キーとして、ＣＤデータベースサーバ（３）を検索する。そして、ステップＳ６では、ＣＤデータベースに登録されている複数枚のＣＤを対象として各楽曲の第１フレームデータとの一致、不一致を判断し、データが一致すれば、ステップＳ７にて、データの一致した楽曲の楽曲情報をＣＤデータベースサーバ（３）から受信して、楽曲情報リストに追加する。
その後、ステップＳ８にて、該ＣＤの全てのトラックについて検索が終了したかどうかを判断し、ここでノーと判断されたときはステップＳ９に移行して、次のトラックへスキップした後、ステップＳ５に戻って、次のトラックの第１フレームデータを検索キーとする検索を繰り返す。
そして、ステップＳ８にてイエスと判断されたとき、手続きを終了する。
【００１７】
図４（ａ）は、パーソナルコンピュータにＣＤをセットした状態で、楽曲情報をダウンロードする前にパーソナルコンピュータの画面に表示される楽曲情報リストの一例を示しており、ＣＤに記録されている１０曲の楽曲について、再生時間は表示されているが、タイトル、アーティスト及びジャンルは、“不明”の表示となっている。
上記手続きによって楽曲情報をダウンロードすると、図４（ｂ）に示す様な楽曲情報リストが自動的に作成され、パーソナルコンピュータの画面に表示されることになる。該リストにおいては、ＣＤに記録されている１０曲の楽曲について、タイトル、アーティスト名、ジャンル及び再生時間が表示されている。
尚、図４（ａ）に示す楽曲情報リストの表示から図４（ｂ）に示す様な楽曲情報リストの表示に移行する過程で、ユーザは何らの操作も不要である。
【００１８】
上述の如く、本発明に係る楽曲情報リスト作成装置によれば、常に正しい楽曲情報をデータベースサーバからダウンロードすることが可能であり、楽曲情報リスト作成時の操作が簡易であり、然もユーザ自作のＣＤについても楽曲情報リストを作成することが出来る。
【００１９】
本発明の各部構成は上記実施の形態に限らず、特許請求の範囲に記載の技術的範囲内で種々の変形が可能である。例えば、検索キーとしては、音楽データの１フレームに限らず、１フレーム中の所定ビット数のデータであってもよい。又、ＣＤデータベースサーバ（３）は、インターネット上に存在するものに限らず、パーソナルコンピュータ（２）に直接に接続されたハードディスクに構築されているＣＤデータベースサーバを利用することも可能である。
【図面の簡単な説明】
【図１】本発明を実施すべきシステム構成を表わすブロック図である。
【図２】１フレームのデータ構成を説明する図である。
【図３】本発明の楽曲情報リスト作成手続きを表わすフローチャートである。
【図４】検索前後の楽曲情報リストの表示例を示す図である。
【符号の説明】
（１）　デジタルメモリプレーヤ
（２）　パーソナルコンピュータ
（３）　ＣＤデータベースサーバ
（４）　インターネット
（５）　ＣＤ
【図１】
2004030790.tif 000003
【図２】
2004030790.tif 000004
【図３】
2004030790.tif 000005
【図４】
2004030790.tif 000006